(57)【要約】【課題】各地域および各世帯へ、各地域および各世帯が必要とする情報をそれぞれ配信すること。【解決手段】情報処理システムは、テキストデータ、音声データ、または映像データのいずれかを少なくとも含んで構成されるコンテンツデータを記憶するコンテンツ記憶部と、携帯網を介して情報処理装置へ前記コンテンツデータを送信する通信部と、を備える管理装置と、前記管理装置から前記携帯網を介して前記コンテンツデータを受信する無線通信部と、テレビ受像機を制御し、前記無線通信部が受信した前記コンテンツデータに基づくコンテンツを前記テレビ受像機に出力させるテレビ制御部と、を備える前記情報処理装置と、を有する。【選択図】図１
2017050807.tif 000002
【特許請求の範囲】
【請求項１】
テキストデータ、音声データ、または映像データのいずれかを少なくとも含んで構成されるコンテンツデータを、携帯網を介して受信する無線通信部と、
テレビ受像機を制御し、前記無線通信部が受信した前記コンテンツデータに基づくコンテンツを前記テレビ受像機に出力させるテレビ制御部と、
を備えることを特徴とする情報処理装置。
【請求項２】
前記テレビ制御部は、前記テレビ受像機の起動状態を検知し、前記テレビ受像機が起動していないことを検知した場合、前記テレビ受像機を起動させ前記コンテンツを前記テレビ受像機に出力させる、
ことを特徴とする請求項１に記載の情報処理装置。
【請求項３】
前記テレビ受像機の前記起動状態を検知する前記テレビ制御部が検知した前記テレビ受像機の起動状態に基づいて、前記テレビ受像機が設置された世帯の住人の安否を示す情報を生成し、通知先として定められた端末装置へ前記情報を通知する通知制御部、
を備えることを特徴とする請求項２に記載の情報処理装置。
【請求項４】
前記情報処理装置は前記テレビ受像機に対してＨＤＭＩ端子を介して接続され、
前記テレビ制御部は、ＨＤＭＩのＣＥＣ規格に従って前記テレビ受像機を制御する、
ことを特徴とする請求項１に記載の情報処理装置。
【請求項５】
前記コンテンツは災害情報である、
ことを特徴とする請求項１に記載の情報処理装置。
【請求項６】
前記コンテンツはソーシャルネットワーキングサービスから送信されたデータに基づくコンテンツである、
ことを特徴とする請求項１に記載の情報処理装置。
【請求項７】
テキストデータ、音声データ、または映像データのいずれかを少なくとも含んで構成されるコンテンツデータを記憶するコンテンツ記憶部と、
携帯網を介して情報処理装置へ前記コンテンツデータを送信する通信部と、
を備える管理装置と、
前記管理装置から前記携帯網を介して前記コンテンツデータを受信する無線通信部と、
テレビ受像機を制御し、前記無線通信部が受信した前記コンテンツデータに基づくコンテンツを前記テレビ受像機に出力させるテレビ制御部と、
を備える前記情報処理装置と、
を有する、ことを特徴とする情報処理システム。
【請求項８】
前記管理装置は、前記情報処理装置を識別する識別情報を記憶する配信先情報記憶部を備え、
前記通信部は、前記識別情報に基づいて識別した前記前記情報処理装置へ前記コンテンツデータを送信する、
ことを特徴とする請求項７に記載の情報処理システム。
【請求項９】
前記コンテンツは災害情報であり、
前記管理装置は、複数の前記情報処理装置を識別する識別情報がグループ化されたグループのリストであるグループリストを記憶し記憶する配信先情報記憶部を備え、
前記通信部は、前記災害情報の内容に応じて前記グループリストから選択された前記グループに属する前記識別情報に基づいて識別した前記情報処理装置へ前記コンテンツデータを送信する、
ことを特徴とする請求項７に記載の情報処理システム。
【請求項１０】
テキストデータ、音声データ、または映像データのいずれかを少なくとも含んで構成されるコンテンツデータを記憶するコンテンツ記憶ステップと、
携帯網を介して情報処理装置へ前記コンテンツデータを送信する通信ステップと、
前記携帯網を介して前記コンテンツデータを受信する無線通信ステップと、
テレビ受像機を制御し、前記無線通信ステップにおいて受信した前記コンテンツデータに基づくコンテンツを前記テレビ受像機に出力させるテレビ制御ステップと、
を有する、ことを特徴とする情報処理方法。
【請求項１１】
コンピュータに、
テキストデータ、音声データ、または映像データのいずれかを少なくとも含んで構成されるコンテンツデータを記憶するコンテンツ記憶ステップと、
携帯網を介して情報処理装置へ前記コンテンツデータを送信する通信ステップと、
前記携帯網を介して前記コンテンツデータを受信する無線通信ステップと、
テレビ受像機を制御し、前記無線通信ステップにおいて受信した前記コンテンツデータに基づくコンテンツを前記テレビ受像機に出力させるテレビ制御ステップと、
を実行させるためのプログラム。
【発明の詳細な説明】
【技術分野】
【０００１】
本発明は、情報処理装置、情報処理システム、情報処理方法、およびプログラムに関する。
【背景技術】
【０００２】
天災に関する情報等の緊急性の高い情報をテレビ受像機（以下、テレビと言う）に表示する情報表示システムがある。テレビは世帯普及率が高く、また、テレビは設置や操作が比較的容易である。そのため、テレビは、高齢者も含めた幅広い層の生活者へ情報を伝えることに適している。
従来の情報表示システムは、緊急性の高い情報（以下、緊急情報と言う）を、ＣＡＴＶ（Ｃａｂｌｅ  ｔｅｌｅｖｉｓｉｏｎ；ケーブルテレビジョン）やインターネット等を介して各世帯に設置されたテレビへ地域ごとに応じた情報を配信する。例えば、特許文献１に記載の地震情報報知システムは、防災情報や緊急地震速報を、インターネット等を介して利用者へ送信する。
【先行技術文献】
【特許文献】
【０００３】
【特許文献１】特開２０１０−２０６６８９号公報
【発明の概要】
【発明が解決しようとする課題】
【０００４】
ところで、緊急情報を必要とする地域や世帯は、配信した地域のうちの一部や、地域のうちの一部の世帯のみに限られていることがある。また、必要とされる緊急情報の内容は、地域の中の立地条件や世帯（家族構成など）によって異なる場合がある。しかしながら、従来の情報表示システムは、情報を地域内に一括して送信するため、各地域および各世帯へ、各地域および各世帯が必要とする情報をそれぞれ配信することができない、という課題があった。
【０００５】
本発明は上記の点に鑑みてなされたものであり、本発明に係る情報処理システムは、各地域および各世帯へ、各地域および各世帯が必要とする情報をそれぞれ配信することができる情報処理装置、情報処理システム、情報処理方法、およびプログラムを提供する。
【課題を解決するための手段】
【０００６】
（１）本発明は上記の課題を解決するためになされたものであり、本発明の一態様としては、テキストデータ、音声データ、または映像データのいずれかを少なくとも含んで構成されるコンテンツデータを、携帯網を介して受信する無線通信部と、テレビ受像機を制御し、前記無線通信部が受信した前記コンテンツデータに基づくコンテンツを前記テレビ受像機に出力させるテレビ制御部と、を備えることを特徴とする情報処理装置である。
【０００７】
（２）また、本発明の一態様としては、前記テレビ制御部は、前記テレビ受像機の起動状態を検知し、前記テレビ受像機が起動していないことを検知した場合、前記テレビ受像機を起動させ前記コンテンツを前記テレビ受像機に出力させる、ことを特徴とする（１）に記載の情報処理装置である。
【０００８】
（３）また、本発明の一態様としては、前記テレビ受像機の前記起動状態を検知する前記テレビ制御部が検知した前記テレビ受像機の起動状態に基づいて、前記テレビ受像機が設置された世帯の住人の安否を示す情報を生成し、通知先として定められた端末装置へ前記情報を通知する通知制御部、を備えることを特徴とする（２）に記載の情報処理装置である。
【０００９】
（４）また、本発明の一態様としては、前記情報処理装置は前記テレビ受像機に対してＨＤＭＩ端子を介して接続され、前記テレビ制御部は、ＨＤＭＩのＣＥＣ規格に従って前記テレビ受像機を制御する、ことを特徴とする（１）に記載の情報処理装置である。
【００１０】
（５）また、本発明の一態様としては、前記コンテンツは災害情報である、ことを特徴とする（１）に記載の情報処理装置である。
【００１１】
（６）また、本発明の一態様としては、前記コンテンツはソーシャルネットワーキングサービスから送信されたデータに基づくコンテンツである、ことを特徴とする（１）に記載の情報処理装置である。
【００１２】
（７）また、本発明の一態様としては、テキストデータ、音声データ、または映像データのいずれかを少なくとも含んで構成されるコンテンツデータを記憶するコンテンツ記憶部と、携帯網を介して情報処理装置へ前記コンテンツデータを送信する通信部と、を備える管理装置と、前記管理装置から前記携帯網を介して前記コンテンツデータを受信する無線通信部と、テレビ受像機を制御し、前記無線通信部が受信した前記コンテンツデータに基づくコンテンツを前記テレビ受像機に出力させるテレビ制御部と、を備える前記情報処理装置と、を有する、ことを特徴とする情報処理システムである。
【００１３】
（８）また、本発明の一態様としては、前記管理装置は、前記情報処理装置を識別する識別情報を記憶する配信先情報記憶部を備え、前記通信部は、前記識別情報に基づいて識別した前記前記情報処理装置へ前記コンテンツデータを送信する、ことを特徴とする（７）に記載の情報処理システムである。
【００１４】
（９）また、本発明の一態様としては、前記コンテンツは災害情報であり、前記管理装置は、複数の前記情報処理装置を識別する識別情報がグループ化されたグループのリストであるグループリストを記憶し記憶する配信先情報記憶部を備え、前記通信部は、前記災害情報の内容に応じて前記グループリストから選択された前記グループに属する前記識別情報に基づいて識別した前記情報処理装置へ前記コンテンツデータを送信する、ことを特徴とする（７）に記載の情報処理システムである。
【００１５】
（１０）また、本発明の一態様としては、テキストデータ、音声データ、または映像データのいずれかを少なくとも含んで構成されるコンテンツデータを記憶するコンテンツ記憶ステップと、携帯網を介して情報処理装置へ前記コンテンツデータを送信する通信ステップと、前記携帯網を介して前記コンテンツデータを受信する無線通信ステップと、テレビ受像機を制御し、前記無線通信ステップにおいて受信した前記コンテンツデータに基づくコンテンツを前記テレビ受像機に出力させるテレビ制御ステップと、を有する、ことを特徴とする情報処理方法である。
【００１６】
（１１）また、本発明の一態様としては、コンピュータに、テキストデータ、音声データ、または映像データのいずれかを少なくとも含んで構成されるコンテンツデータを記憶するコンテンツ記憶ステップと、携帯網を介して情報処理装置へ前記コンテンツデータを送信する通信ステップと、前記携帯網を介して前記コンテンツデータを受信する無線通信ステップと、テレビ受像機を制御し、前記無線通信ステップにおいて受信した前記コンテンツデータに基づくコンテンツを前記テレビ受像機に出力させるテレビ制御ステップと、を実行させるためのプログラムである。
【発明の効果】
【００１７】
本発明によれば、各地域および各世帯へ、各地域および各世帯が必要とする情報をそれぞれ配信することができる。
【図面の簡単な説明】
【００１８】
【図１】第１の実施形態に係る情報処理システムの構成を示す概略図である。
【図２】第１の実施形態に係る情報処理装置の機能構成を示すブロック図である。
【図３】第１の実施形態に係る管理装置の機能構成を示すブロック図である。
【図４】第１の実施形態に係る管理装置の表示部に表示されるメッセージ送信先指定画面を示す図である。
【図５】第１の実施形態に係る管理装置の表示部に表示されるメッセージ送信方法指定画面を示す図である。
【図６】第１の実施形態に係る管理装置の表示部に表示される送信グループ登録画面を示す図である。
【図７】第１の実施形態に係る管理装置の表示部に表示されるレスポンス管理画面を示す図である。
【図８】第１の実施形態に係る情報処理装置によってテレビに表示される表示画面を示す概略図である。
【図９】第２の実施形態に係る情報処理システムの構成を示す概略図である。
【発明を実施するための形態】
【００１９】
（第１の実施形態）
本発明の第１の実施形態について、図面を参照しながら説明する。
図１は、第１の実施形態に係る情報処理システム１の構成を示す概略図である。
第１の実施形態に係る情報処理システム１は、情報処理装置１０と、管理装置２０と、無線通信基地局３０と、携帯網３１と、テレビ４０（テレビ受像機）と、を含んで構成される。
情報処理システム１は、管理装置２０から、無線通信基地局３０、携帯網３１、および情報処理装置１０を介してテレビ４０へ送信されるコンテンツデータに基づくコンテンツ（例えば、災害情報等の緊急情報や防災情報等）を、テレビ４０に出力させるシステムである。
【００２０】
情報処理装置１０は、ＳＩＭ１１が埋め込まれた小型のコンピュータ装置である。情報処理装置１０は、例えば、パーソナルコンピュータによって構成される。
情報処理装置１０は、各世帯のテレビ４０と接続する装置である。情報処理装置１０とテレビ４０とは、例えば、デジタル映像データおよびデジタル音声データの入出力インターフェース規格であるＨＤＭＩ（Ｈｉｇｈ−Ｄｅｆｉｎｉｔｉｏｎ  Ｍｕｌｔｉｍｅｄｉａ  Ｉｎｔｅｒｆａｃｅ；高精細度マルチメディアインターフェース）（登録商標）によって接続される。
【００２１】
また、情報処理装置１０は、ＳＩＭ１１を介して、携帯網３１の無線通信基地局３０と無線通信によって通信接続する。
ＳＩＭ１１は、シムカード（ＳＩＭ  Ｃａｒｄ；Ｓｕｂｓｃｒｉｂｅｒ  Ｉｄｅｎｔｉｔｙ  Ｍｏｄｕｌｅ  Ｃａｒｄ）によって構成される。シムカードとは、携帯電話会社が発行する、契約者情報を記録したＩＣ（Ｉｎｔｅｇｒａｔｅｄ  Ｃｉｒｃｕｉｔ；集積回路）カードである。
なお、ＳＩＭ１１は、イーシム（ｅＳＩＭ；Ｅｍｂｅｄｄｅｄ  ＳＩＭ）によって構成されていてもよい。イーシムとは、エムツーエム（Ｍ２Ｍ；Ｍａｃｈｉｎｅ  ｔｏ  Ｍａｃｈｉｎｅ）の通信で使用されるシムカードである。
【００２２】
管理装置２０は、コンテンツ提供事業者が有するコンピュータ装置である。管理装置２０は、例えば、パーソナルコンピュータによって構成される。管理装置２０は、携帯網３１の無線通信基地局３０と無線通信によって通信接続する。管理装置２０と無線通信基地局３０とは、例えば、専用線を介して通信接続する。専用線とは、企業などが通信会社から借り受け、自社専用の通信回線として拠点間のコンピュータネットワークを接続したり、インターネットに接続したりするために使われる通信回線である。
【００２３】
管理装置２０は、コンテンツ提供事業者によって指定されたテキストデータ、音声データ、または映像データのいずれかを少なくとも含んで構成されるコンテンツデータを、無線通信基地局３０へ送信する。コンテンツデータは、情報処理装置１０の近傍の他の無線通信基地局３０へ携帯網３１を介して中継される。情報処理装置１０の近傍の無線通信基地局３０は、情報処理装置１０と無線通信接続し、コンテンツデータを情報処理装置１０へ送信する。
【００２４】
なお、管理装置２０は、各世帯の情報処理装置１０が備えるＳＩＭ１１に記録された識別情報のリストを記憶している。管理装置２０は、この識別情報を用いて、各世帯の情報処理装置１０を識別することができる。これにより、管理装置２０は、特定の情報処理装置１０に対してコンテンツデータを送信することが可能である。
【００２５】
情報処理装置１０は、受信したコンテンツデータの種類を判別する。コンテンツデータの種類は、例えば、テキストデータ、音声データ、映像データ、またはそれらを任意に組み合わせたデータのいずれかである。情報処理装置１０は、受信したコンテンツデータを、判別したコンテンツデータの種類に基づいて、テレビ４０によって出力可能なデータに変換する。情報処理装置１０は、変換したデータに基づくコンテンツをテレビ４０に出力させる。
【００２６】
なお、情報処理装置１０は、コンテンツデータを受信すると、自己の情報処理装置１０と接続されたテレビ４０の起動状態を検知する。
情報処理装置１０は、例えば図１に示すテレビ４０の出力状態ｄ０２のように、テレビ４０が起動していない（電源がオフの状態である）ことを検知した場合、テレビ４０を起動させる（電源をオンの状態にさせる）。そして、情報処理装置１０は、コンテンツをテレビ４０に出力させる。
【００２７】
また、情報処理装置１０は、例えば、図１に示すテレビ４０の出力状態ｄ０３のように、テレビ４０が起動中である（視聴者がテレビ番組を視聴中である）ことを検知した場合、テレビ４０が出力中のコンテンツ（例えば、放送番組）から、情報処理装置１０から送信されるコンテンツデータに基づくコンテンツへ、出力するコンテンツをテレビ４０に切り替えさせる。
【００２８】
情報処理装置１０から送信されるコンテンツデータに基づくコンテンツは、例えば、図１に示すテレビ４０の出力状態ｄ０１のように、テキスト情報と音声情報とによって構成される。図示するように、情報処理装置１０は、「緊急防災情報  ○月○日  ○時○分・・・」という文字列を画面に表示し、「緊急防災情報です。○月○日  ○時○分・・・」という音声をスピーカーから出力する。
【００２９】
以上、説明した構成により、第１の実施形態に係る情報処理システム１は、特定のテレビ４０に対してコンテンツ（例えば、緊急情報）を送信することができる。また、情報処理システム１は、テレビ４０が起動していない場合には、テレビ４０を起動させてコンテンツを出力させることができる。また、情報処理システム１は、テレビ４０が起動している場合には、テレビ４０が出力するコンテンツを、管理装置２０から送信されたコンテンツに切り替えさせることができる。
【００３０】
（情報処理装置の構成）
次に、第１の実施形態に係る情報処理装置１０の機能構成について詳細に説明する。
図２は、第１の実施形態に係る情報処理装置１０の機能構成を示すブロック図である。
第１の実施形態に係る情報処理装置１０は、ＳＩＭ１１と、無線通信部１０１と、コンテンツ判別部１０２と、コンテンツ記憶部１０３と、配信処理部１０４と、テレビ制御部１０５と、配信先状態検知部１０６と、配信先状態記憶部１０７と、配信先状態通知制御部１０８と、を含んで構成される。
【００３１】
無線通信部１０１は、アンテナ（図示せず）を介して、無線通信基地局３０と無線通信により通信接続する通信インターフェースである。なお、上述したように、情報処理装置１０には、ＳＩＭ１１が埋め込まれており、無線通信部１０１が行う通信接続における認証処理がＳＩＭ１１によって行われる。
無線通信部１０１は、無線通信基地局３０と各種のデータの送受信を行う。例えば、無線通信部１０１は、無線通信基地局３０から送信された、テレビ４０に出力させるコンテンツを示すコンテンツデータを受信する。また、例えば、無線通信部１０１は、後述する配信先状態検知部１０６から入力される、テレビ４０の起動状態を検知した結果を示すデータを、無線通信基地局３０へ送信する。
無線通信部１０１は、無線通信基地局３０から受信したコンテンツデータを、コンテンツ判別部１０２へ出力する。
【００３２】
コンテンツ判別部１０２は、無線通信部１０１から入力されたコンテンツデータに含まれるデータの種類を識別する。すなわち、コンテンツ判別部１０２は、無線通信部１０１から入力されたコンテンツデータに含まれる、テキストデータ、音声データ、または映像データを識別する。なお、コンテンツデータには、例えば、テキストデータと音声データ等、複数の種類のデータが含まれている場合がある。
【００３３】
コンテンツ判別部１０２は、コンテンツデータを、識別したデータの種類毎に分離する。コンテンツ判別部１０２は、分離したコンテンツデータを、コンテンツ記憶部１０３に記憶させる。また、コンテンツ判別部１０２は、分離したコンテンツデータを、配信処理部１０４へ出力する。
【００３４】
コンテンツ記憶部１０３は、各種のコンテンツデータ、すなわち、テキストデータ、音声データ、および映像データを記憶する記憶媒体である。コンテンツ記憶部１０３は、コンテンツ判別部１０２から入力されたコンテンツデータを、データの種類毎に記憶する。コンテンツ記憶部１０３にコンテンツデータが記憶されることにより、情報処理装置１０は、任意のタイミングでテレビ４０にコンテンツを出力させることも可能である。
【００３５】
コンテンツ記憶部１０３は、例えば、ハードディスクドライブ（ＨＤＤ；Ｈａｒｄ  Ｄｉｓｋ  Ｄｒｉｖｅ）、フラッシュメモリ、イーイープロム（ＥＥＰＲＯＭ；Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）、読み出し専用メモリ（ＲＯＭ；Ｒｅａｄ  Ｏｎｌｙ  Ｍｅｍｏｒｙ）、読み書き可能なメモリ（ＲＡＭ；Ｒａｎｄｏｍ  Ａｃｃｅｓｓ  ｒｅａｄ／ｗｒｉｔｅ  Ｍｅｍｏｒｙ）、またはそれらの任意の組み合わせを含んで構成される。
【００３６】
配信処理部１０４は、コンテンツ判別部１０２から入力されたコンテンツデータのデータの種類に応じて、コンテンツデータを、テレビ４０によって出力可能なデータ形式に変換する。配信処理部１０４は、変換したコンテンツデータを、テレビ制御部１０５へ出力する。
【００３７】
テレビ制御部１０５は、テレビ４０と通信接続する通信インターフェースを含んで構成される。テレビ制御部１０５は、テレビ４０と各種のデータの送受信をしたり、テレビ４０の動作を制御したりすることができる。
テレビ制御部１０５は、テレビ４０が起動しているか否か（電源の状態がオンであるかオフであるか）を検知する。テレビ制御部１０５は、テレビ４０が起動していない場合には、テレビ４０を起動させる。
【００３８】
なお、上記の説明においては、テレビ４０が起動していない場合に、テレビ制御部１０５がテレビ４０を起動させる構成について説明したが、これに限られない。例えば、テレビ４０が起動していない場合に、テレビ制御部１０５が、視聴者に対し、テレビ４０の起動を促すための通知を行うことによって、視聴者による主体的なテレビ４０の起動を促すようにしてもよい。
その場合、視聴者への通知は、例えば、「新着情報があります、テレビの電源を入れてください。」というようなガイダンス音声を、情報処理装置１０が備えるスピーカー（図示せず）により再生させることによって行われる。あるいは、視聴者への通知は、情報処理装置１０が備える回転灯（図示せず）、例えば、パトライト（登録商標）を発光させること、または、情報処理装置１０が備える警告灯（図示せず）、例えば、ＬＥＤ（Ｌｉｇｈｔ  Ｅｍｉｔｔｉｎｇ  Ｄｉｏｄｅ；発光ダイオード）を発光させることによって行われる。
【００３９】
テレビ制御部１０５は、配信処理部１０４から入力されたコンテンツデータをテレビ４０へ送信し、当該コンテンツデータに基づくコンテンツをテレビ４０に出力させる。これにより、テレビ４０は、テキスト情報や映像を画面に表示したり、音声をスピーカーから出力したりする。
【００４０】
なお、テレビ４０が起動している（視聴者がテレビ番組を視聴中である）場合には、テレビ制御部１０５は、テレビ４０が出力するコンテンツを、自己のテレビ制御部１０５から送信するコンテンツデータに基づくコンテンツへ切り替えさせる。すなわち、例えば、視聴者が視聴するテレビ番組の映像や音声をテレビ４０が出力中であっても、情報処理装置１０のテレビ制御部１０５からテレビ４０へコンテンツデータが送信された場合には、テレビ４０は、出力するコンテンツを、テレビ制御部１０５から受信したコンテンツデータに基づくコンテンツに切り替える。
【００４１】
なお、テレビ制御部１０５は、例えば、ＨＤＭＩの標準規格であるＣＥＣ（Ｃｏｎｓｕｍｅｒ  Ｅｌｅｃｔｒｏｎｉｃｓ  Ｃｏｎｔｒｏｌ）によって、テレビ４０の動作を制御する。また、テレビ制御部１０５は、例えば、ＨＤＭＩ端子を含んで構成される。
【００４２】
なお、上記の説明においては、テレビ４０が起動している場合に、テレビ制御部１０５が、テレビ４０が出力するコンテンツを切り替えさせる構成について説明したが、これに限られない。例えば、テレビ４０が起動している場合に、テレビ制御部１０５が、視聴者に対し、テレビ４０が出力するコンテンツの切り替えを促すための通知を行うことによって、視聴者による主体的なコンテンツの切り替えを促すようにしてもよい。
その場合、視聴者への通知は、例えば、「新着情報があります、テレビの電源を入れてください。」というようなガイダンス音声を、情報処理装置１０が備えるスピーカー（図示せず）により再生させることによって行われる。あるいは、視聴者への通知は、情報処理装置１０が備える回転灯（図示せず）、例えば、パトライト（登録商標）を発光させること、または、情報処理装置１０が備える警告灯（図示せず）、例えば、ＬＥＤを発光させることによって行われる。また、視聴者によってコンテンツの切り替えがなされた場合には、テレビ制御部１０５は、回転灯または警告灯の発光を停止させる。
【００４３】
また、テレビ制御部１０５は、テレビ４０の起動状態を検知した結果を示すデータを、配信先状態検知部１０６へ出力する。
配信先状態検知部１０６は、テレビ制御部１０５から入力されたデータを、配信先状態記憶部１０７に記憶させる。
配信先状態記憶部１０７は、テレビ４０の起動状態の履歴を示すデータを記憶する記憶媒体である。配信先状態記憶部１０７は、例えば、ＨＤＤ、フラッシュメモリ、ＥＥＰＲＯＭ、ＲＯＭ、ＲＡＭ、またはそれらの任意の組み合わせを含んで構成される。
【００４４】
配信先状態通知制御部１０８は、所定の条件が満たされた場合、または無線通信部１０１からの要求があった場合に、配信先（テレビ４０）の状態を示すデータを無線通信部１０１へ出力する。無線通信部１０１へ出力されたデータは、例えば、無線通信部１０１から無線通信基地局３０および携帯網３１を介して、管理装置２０へ送信される。
【００４５】
上記の所定の条件とは、例えば、一定期間以上の間、テレビ４０が起動していないことに基づく条件である。配信先状態通知制御部１０８は、配信先状態記憶部１０７に記憶されたデータに基づいて、上記の所定の条件を満たしているかを判定する。配信先状態通知制御部１０８は、上記の所定の条件を満たしているかを判定した場合、配信先（テレビ４０）の状態を示すデータを無線通信部１０１へ出力する。
【００４６】
これにより、例えば、テレビ４０が長期間起動していないことを配信先状態通知制御部１０８が検知し、無線通信部１０１を介して管理装置２０へ向けて通知をすることができる。例えば、テレビ４０が設置された世帯が高齢者の世帯である場合に、本実施形態に係る情報処理システム１は、上記の通知を、住人（例えば、高齢者）の安否を確認するための見守りサービスにおける通知として利用することができる。配信先状態通知制御部１０８は、テレビ４０が設置された世帯の住人の安否を示す安否情報を生成し、通知先として予め定められた外部の端末装置へ安否情報を通知する。
【００４７】
（管理装置の構成）
次に、第１の実施形態に係る管理装置２０の機能構成について詳細に説明する。
図３は、第１の実施形態に係る管理装置２０の機能構成を示すブロック図である。
第１の実施形態に係る管理装置２０は、操作入力部２０１と、表示部２０２と、制御部２０３と、コンテンツ記憶部２０４と、配信先情報記憶部２０５と、通信部２０６と、を含んで構成される。
【００４８】
操作入力部２０１は、コンテンツ提供事業者による各種の操作入力を受け付ける。操作入力部２０１は、例えば、キーボード、マウス、またはタッチパネル等を含んで構成される。
【００４９】
表示部２０２は、コンテンツ提供事業者へ提供される各種の情報を示す画像を表示する。表示部２０２は、ディスプレイ、例えば、液晶ディスプレイ、または有機ＥＬ（Ｅｌｅｃｔｒｏ  Ｌｕｍｉｎｅｓｃｅｎｃｅ；エレクトロルミネッセンス）ディスプレイを含んで構成される。
【００５０】
制御部２０３は、管理装置２０における各種の処理を制御する。制御部２０３は、例えば、ＣＰＵ（Ｃｅｎｔｒａｌ  Ｐｒｏｃｅｓｓｉｎｇ  Ｕｎｉｔ；中央演算処理装置）を含んで構成される。
【００５１】
コンテンツ記憶部２０４は、各種のコンテンツデータ、例えば、テキストデータ、音声データ、および映像データを記憶する記憶媒体である。本実施形態においては、コンテンツデータに基づくコンテンツは、例えば、災害情報等の緊急情報である。コンテンツ記憶部２０４に記憶されたコンテンツデータは、管理装置２０から携帯網３１および無線通信基地局３０を介して情報処理装置１０へ送信される。
コンテンツ記憶部２０４は、例えば、ＨＤＤ、フラッシュメモリ、ＥＥＰＲＯＭ、ＲＯＭ、ＲＡＭ、またはそれらの任意の組み合わせを含んで構成される。
【００５２】
配信先情報記憶部２０５は、コンテンツの配信先である情報処理装置１０を識別する識別情報、例えば、それぞれの情報処理装置１０に埋め込まれたＳＩＭ１１に記録されている識別情報のリストを記憶している。
また、配信先情報記憶部２０５は、コンテンツの複数の配信先をグループ化したリストである送信グループリストを記憶する。
【００５３】
通信部２０６は、無線通信基地局３０と通信接続するための通信インターフェースである。なお、上述したように、通信部２０６と無線通信基地局３０とは、専用線によって接続される。通信部２０６は、無線通信基地局３０と各種のデータの送受信を行う。例えば、通信部２０６は、無線通信基地局３０へ、テレビ４０に出力させるコンテンツを示すコンテンツデータを送信する。また、例えば、通信部２０６は、無線通信基地局３０から、テレビ４０の起動状態を検知した結果を示すデータを受信する。
以下に、管理装置２０の表示部２０２に表示される画像の一例について説明する。
【００５４】
（管理装置における送信設定画面）
まず、コンテンツの配信先を指定するための画面について説明する。
図４は、第１の実施形態に係る管理装置２０の表示部２０２に表示されるメッセージ送信先指定画面を示す図である。
なお、本例におけるコンテンツは、災害時に送信されるメッセージである。メッセージは、例えば、災害情報（警報や注意報等）や避難指示に関する情報を含む。
図４に示すメッセージ送信先指定画面ｄ１１は、コンテンツ提供事業者（本例においては、例えば、地方自治体）にメッセージの送信先を指定させるための画面である。
【００５５】
図示するように、コンテンツ提供事業者は、「個別送信」の表示領域において、個人（世帯）毎に送信先を選択することができる。または、コンテンツ提供事業者は、「グループ送信」の表示領域において、送信グループ毎に送信先を選択することができる。送信グループとは、複数の個人（世帯）をまとめたグループである。コンテンツ提供事業者は、送信グループを選択することによって、送信グループに属する個人（世帯）をまとめて選択したことと同等の効果を得ることができる。コンテンツ提供事業者は、例えば、コンテンツの内容（例えば、災害情報における災害状況など）に応じて送信グループを選択する。
なお、送信グループへの個人（世帯）の登録方法については後述する。
【００５６】
次に、メッセージの送信方法を指定するための画面について説明する。
図５は、第１の実施形態に係る管理装置２０の表示部２０２に表示されるメッセージ送信方法指定画面を示す図である。
図５に示すように、メッセージ送信方法指定画面ｄ１３において、コンテンツ提供事業者は、３つのメッセージ送信方法の中から送信方法を選択してメッセージを送信することができる。
【００５７】
上段の「送信メッセージ入力」の表示領域は、テキスト入力欄を有する。コンテンツ提供事業者は、このテキスト入力欄に、操作入力部２０１によってメッセージを入力することができる。図５に示す例においては、テキスト入力欄には「ただいま大雨注意報が発令されました・・・」というメッセージが入力されている。コンテンツ提供事業者により、このテキスト入力欄の右側にある「ＯＫ」ボタンが押下されることによって、テキスト入力欄に入力されたメッセージを示すテキストデータが、管理装置２０から無線通信基地局３へ送信される。
【００５８】
中段の「送信メッセージファイル選択」の表示領域は、音声ファイルを、プルダウン形式のリストの中から選択して入力可能な入力欄を有する。コンテンツ提供事業者は、音声ファイルを選択することで、送信する音声メッセージを指定することができる。図５に示す例においては、「ｈｉｎａｎ．ｗａｖ」という音声ファイルが選択されている。コンテンツ提供事業者により、このプルダウン形式の選択入力欄の右側にある「ＯＫ」ボタンが押下されることによって、選択された音声メッセージを示す音声データが、管理装置２０から無線通信基地局３へ送信される。
【００５９】
下段の「リアルタイム放送」の表示領域は、「開始」ボタンと「終了」ボタンとを有する。コンテンツ提供事業者は、「開始」ボタンを押下した後、例えば、管理装置２０に接続されたマイクロフォン（図示せず）に向けて発声することによって、音声メッセージを入力することができる。そして、コンテンツ提供事業者は、音声メッセージの入力が終了した場合、「終了」ボタンを押下する。コンテンツ提供事業者によって入力された音声メッセージを示す音声データは、即座に、管理装置２０から無線通信基地局３へ送信される。これにより、音声メッセージは、リアルタイムに配信先の世帯のテレビ４０のスピーカーから出力される。
【００６０】
（管理装置における管理画面）
次に、送信グループへ個人（世帯）を登録するための画面について説明する。
図６は、第１の実施形態に係る管理装置２０の表示部２０２に表示される送信グループ登録画面を示す図である。
図６に示すように、送信グループ登録画面ｄ１３には、個人（世帯）のリストを示す「送信リスト」の表示領域と、送信グループのリストを示す「送信グループリスト」の表示領域とを有する。
【００６１】
コンテンツ提供事業者は、送信グループおよび当該送信グループに登録したい個人（世帯）を、それぞれ、送信グループリストおよび送信リストにおいて選択する。これにより、コンテンツ提供事業者は、特定の送信グループに、特定の個人（世帯）を登録することができる。
【００６２】
次に、コンテンツの配信先からの回答（レスポンス）を管理するための画面について説明する。
図７は、第１の実施形態に係る管理装置２０の表示部２０２に表示されるレスポンス管理画面を示す図である。
図７に示すように、レスポンス管理画面ｄ１４には、コンテンツを配信した個人（世帯）からの回答（レスポンス）の有無を示す情報が表示されている。図７の例においては、「○田  ○雄」という氏名の世帯主からは回答が来ているが、「△中  △江」という氏名の世帯主からは回答が来ていないことを示す。
【００６３】
ここで言う回答（レスポンス）とは、例えば、メッセージを認識したことを示す回答である。その場合、テレビ４０によって出力されたメッセージを認識した個人は、例えば、テレビ４０に対応するリモートコントローラの所定のボタンを押下することによって、メッセージを認識したことを示す回答を行う。
なお、回答（レスポンス）は、テレビ４０が起動した（または、テレビ４０においてメッセージが出力された）ことを示す回答であるような構成であってもよい。
【００６４】
以上説明したように、第１の実施形態に係る情報処理システム１は、コンテンツの送信先を指定し、送信するコンテンツを指定することによって、携帯網を介して各地域および各世帯へ、各地域および各世帯が必要とする情報をそれぞれ配信することができる。
【００６５】
なお、以上説明した情報処理システム１においては、配信されるコンテンツは災害情報等の緊急情報であるが、これに限られない。例えば、情報処理システム１は、緊急情報の他に、例えば、地方自治体からのお知らせ（インフォメーション）等のコンテンツを配信するようにしてもよい。図８に、その場合の例を示す。
【００６６】
図８は、第１の実施形態に係る情報処理装置１０によってテレビ４０に表示される表示画面を示す概略図である。
図８に図示する表示画面ｄ０４は、「防災情報」、「○○市からのお知らせ」、「フォトコンテスト」、および「天気予報」というメニュー項目を含むメニュー画面である。例えば、視聴者により、リモートコントローラ４１によって、「○○市からのお知らせ」のメニュー項目が選択されると、表示画面ｄ０５が表示される。表示画面ｄ０５には、「○○市からのお知らせ」に関するコンテンツが含まれている。
【００６７】
上述したように、本実施形態に係る情報処理システム１は、特定の地域へ、特定のコンテンツを配信することができる。そのため、本実施形態に係る情報処理システム１は、上記のメニュー項目によって示される情報のような、特定の地域において有用な情報を配信するサービスを提供することができる。
【００６８】
（第２の実施形態）
第１の実施形態に係る情報処理システム１は、コンテンツ提供事業者（例えば、地方自治体など）が管理装置２０からコンテンツを配信する構成であったが、本発明はこれに限られない。
第２の実施形態に係る情報処理システム２は、ＳＮＳ（Ｓｏｃｉａｌ  Ｎｅｔｗｏｒｋｉｎｇ  Ｓｅｒｖｉｃｅ；ソーシャルネットワーキングサービス）と連携し、ＳＮＳにおいて投稿されたコンテンツを各個人（世帯）のテレビ４０へ配信する。
【００６９】
図９は、第２の実施形態に係る情報処理システム２の構成を示す概略図である。
例えば、親が子供のデジタル写真を示す映像データをＳＮＳへアップロードする。ＳＮＳは、アップロードされた映像データを、携帯網３１および無線通信基地局３０を介して、予め指定された情報処理装置１０へ送信する。予め指定された情報処理装置１０とは、例えば、当該子供の祖父母が利用するテレビ４０に接続された情報処理装置である。
情報処理装置１０は、受信した映像データに基づくデジタル写真をテレビ４０に表示させる。図９に図示するように、表示画面ｄ２１には、子供のデジタル写真が表示されている。
【００７０】
さらに、子供のデジタル写真を見た祖父母が、テレビ４０に対応するリモートコントローラの所定のボタンを押下することによって、デジタル写真を見たことを示す回答（レスポンス）をＳＮＳへ送信するようにしてもよい。
【００７１】
以上説明したように、第２の実施形態に係る情報処理システム２は、ＳＮＳと連携し、携帯網を介して、特定の世帯へ特定の情報を配信することができる。
【００７２】
以上、この発明の実施形態について詳しく説明してきたが、具体的な構成は上述のものに限られることはなく、この発明の要旨を逸脱しない範囲内において様々な設計変更等をすることが可能である。
【００７３】
なお、上述した各実施形態における情報処理装置１０および管理装置２０の一部又は全部をコンピュータで実現するようにしてもよい。その場合、この制御機能を実現するためのプログラムをコンピュータ読み取り可能な記録媒体に記録して、この記録媒体に記録されたプログラムをコンピュータシステムに読み込ませ、実行することによって実現してもよい。
【００７４】
なお、ここでいう「コンピュータシステム」とは、情報処理装置１０および管理装置２０に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【００７５】
さらに「コンピュータ読み取り可能な記録媒体」とは、インターネット等のネットワークや電話回線等の通信回線を介してプログラムを送信する場合の通信回線のように、短時間、動的にプログラムを保持するもの、その場合のサーバーやクライアントとなるコンピュータシステム内部の揮発性メモリのように、一定時間プログラムを保持しているものも含んでもよい。また上記プログラムは、前述した機能の一部を実現するためのものであっても良く、さらに前述した機能をコンピュータシステムにすでに記録されているプログラムとの組み合わせで実現できるものであってもよい。
【００７６】
また、上述した第１の実施形態における情報処理装置１０および管理装置２０を、ＬＳＩ（Ｌａｒｇｅ  Ｓｃａｌｅ  Ｉｎｔｅｇｒａｔｉｏｎ）等の集積回路として実現してもよい。情報処理装置１０および管理装置２０の各機能ブロックは個別にプロセッサ化してもよいし、一部、または全部を集積してプロセッサ化してもよい。また、集積回路化の手法はＬＳＩに限らず専用回路、または汎用プロセッサで実現してもよい。また、半導体技術の進歩によりＬＳＩに代替する集積回路化の技術が出現した場合、当該技術による集積回路を用いてもよい。
【符号の説明】
【００７７】
１・・・情報処理システム、２・・・情報処理システム、１０・・・情報処理装置、１１・・・ＳＩＭ、２０・・・管理装置、３０・・・無線通信基地局、３１・・・携帯網、４０・・・テレビ、１０１・・・無線通信部、１０２・・・コンテンツ判別部、１０３・・・コンテンツ記憶部、１０４・・・配信処理部、１０５・・・テレビ制御部、１０６・・・配信先状態検知部、１０７・・・配信先状態記憶部、１０８・・・配信先状態通知制御部、２０１・・・操作入力部、２０２・・・表示部、２０３・・・制御部、２０４・・・コンテンツ記憶部、２０５・・・配信先情報記憶部、２０６・・・通信部
【図１】
2017050807.tif 000003
【図２】
2017050807.tif 000004
【図３】
2017050807.tif 000005
【図４】
2017050807.tif 000006
【図５】
2017050807.tif 000007
【図６】
2017050807.tif 000008
【図７】
2017050807.tif 000009
【図８】
2017050807.tif 000010
【図９】
2017050807.tif 000011